(57)【要約】【課題】電子ペンによりノートに記入された内容を記憶するシステムにおいて、複数のノートを適切に管理すること。【解決手段】電子ペン１から逐次送信されてくる記入情報を受信する通信手段３３と、複数の科目シール２３のうち、特定の科目シール２３に対して電子ペン１によるタップの操作がなされたときに通信手段３３に受信された記入情報に基づいて、属性を特定する属性特定手段３５２と、属性特定手段３５２により属性が特定された後、ノート用紙２４に対して電子ペン１による記入の操作がなされたときに通信手段３３に受信された記入情報に基づいて、電子ペン１による記入の内容を示すストロークを描画するとともに、ノートファイルにストロークを記憶させるストローク描画手段３５３とを備える。【選択図】図７
2013016079.tif 000002
【特許請求の範囲】
【請求項１】
ページごとに異なるコード化パターンが形成された複数のノート用紙を有し、表紙に属性を識別するためのコード化パターンが設けられるノートと、
コード化パターンを読み取り、コード化パターンに関する情報を記入情報として送信する電子ペンと、
前記電子ペンから記入情報を受信して所定の処理を行うコンピュータ装置とを備えるノート管理システムであって、
前記コンピュータ装置は、
前記電子ペンから送信される記入情報を受信する通信手段と、
前記属性を識別するためのコード化パターンを前記電子ペンに読み取らせることによって前記通信手段に受信された記入情報に基づいて、前記属性を特定する属性特定手段と、
前記ノート用紙に対して前記電子ペンによる記入の操作がなされることによって前記通信手段に受信された前記記入情報に基づいて、ストロークを描画するとともに、前記ストロークを、前記属性特定手段により特定された前記属性に対応するノートファイルに記憶させるストローク描画手段と
を備えることを特徴とするノート管理システム。
【請求項２】
前記ノートには、複数の異なる属性を示すシールが貼付されており、各シールには、属性に応じて異なるコード化パターンが形成されており、前記複数のシールから特定のシールを選択して前記表紙に貼付することで、当該ノートの属性が設定可能であることを特徴とする請求項１に記載のノート管理システム。
【請求項３】
前記ストローク描画手段は、描画したストロークをノート用紙のページに応じて前記ノートファイルに記憶させることを特徴とする請求項１又は２に記載のノート管理システム。
【請求項４】
前記コンピュータ装置は、
前記属性特定手段によりノートの属性が特定されている状態で、前記通信手段により前記ノート用紙に係る記入情報を受信した場合に、前記ノート用紙のページに応じてノートファイルを開いてディスプレイに表示させ、前記属性特定手段によりノートの属性が特定されていない状態で、前記通信手段により前記ノート用紙に係る記入情報を受信した場合に、属性を識別するためのコード化パターンを前記電子ペンで読み取るよう促す出力をさせる情報処理手段をさらに備えることを特徴とする請求項１〜３のうちいずれか一項に記載のノート管理システム。
【請求項５】
前記属性は、学習科目であることを特徴とする請求項１〜４のうちいずれか一項に記載のノート管理システム。
【請求項６】
ページごとに異なるコード化パターンが形成された複数のノート用紙を有し、表紙に、カテゴリを識別するためのコード化パターンと、カテゴリにおける属性を識別するためのコード化パターンとが設けられるノートと、
コード化パターンを読み取り、コード化パターンに関する情報を記入情報として送信する電子ペンと、
前記電子ペンから記入情報を受信して所定の処理を行うコンピュータ装置とを備えるノート管理システムであって、
前記コンピュータ装置は、
前記電子ペンから送信される記入情報を受信する通信手段と、
前記カテゴリを識別するためのコード化パターンと前記属性を識別するためのコード化パターンとを前記電子ペンに読み取らせることによって前記通信手段に受信された記入情報に基づいて、前記カテゴリ及び前記属性を特定する属性特定手段と、
前記ノート用紙に対して前記電子ペンによる記入の操作がなされることによって前記通信手段に受信された前記記入情報に基づいて、ストロークを描画するとともに、前記ストロークを、前記属性特定手段により特定された前記カテゴリにおける前記属性に対応するノートファイルに記憶させるストローク描画手段と
を備えることを特徴とするノート管理システム。
【請求項７】
前記ノートには、複数の異なるカテゴリと複数の異なる属性とをそれぞれ示すシールが貼付されており、各シールには、カテゴリや属性に応じて異なるコード化パターンが形成されており、前記複数のシールから特定のシールを選択して前記表紙に貼付することで、当該ノートのカテゴリ及び属性が設定可能であることを特徴とする請求項６に記載のノート管理システム。
【請求項８】
前記ストローク描画手段は、描画したストロークをノート用紙のページに応じて前記ノートファイルに記憶させることを特徴とする請求項６又は７に記載のノート管理システム。
【請求項９】
前記コンピュータ装置は、
前記属性特定手段によりノートのカテゴリ及び属性が特定されている状態で、前記通信手段により前記ノート用紙に係る記入情報を受信した場合に、前記ノート用紙のページに応じてノートファイルを開いてディスプレイに表示させ、前記属性特定手段によりノートのカテゴリおよび／または属性が特定されていない状態で、前記通信手段により前記ノート用紙についての記入情報を受信した場合に、カテゴリおよび／または属性を識別するためのコード化パターンを前記電子ペンで読み取るよう促す出力をさせる情報処理手段をさらに備えることを特徴とする請求項６〜８のうちいずれか一項に記載のノート管理システム。
【請求項１０】
前記カテゴリは学習科目であり、前記属性はノート番号であることを特徴とする請求項６〜９のうちいずれか一項に記載のノート管理システム。
【請求項１１】
請求項１〜１０のいずれか一項に記載の前記ノート管理システムにおける前記コンピュータ装置として機能させることを特徴とするプログラム。
【請求項１２】
ページごとに異なるコード化パターンが形成された複数のノート用紙を有し、表紙に属性を識別するためのコード化パターンが設けられるノートであって、
複数の異なる属性を示すシールが貼付されており、各シールには、属性に応じて異なるコード化パターンが形成されており、前記複数のシールから特定のシールを選択して前記表紙に貼付することで、当該ノートの属性が設定可能であることを特徴とするノート。
【請求項１３】
ページごとに異なるコード化パターンが形成された複数のノート用紙を有し、表紙に、カテゴリを識別するためのコード化パターンと、カテゴリにおける属性を識別するためのコード化パターンとが設けられるノートであって、
複数の異なるカテゴリと複数の異なる属性とをそれぞれ示すシールが貼付されており、各シールには、カテゴリや属性に応じて異なるコード化パターンが形成されており、前記複数のシールから特定のシールを選択して前記表紙に貼付することで、カテゴリ及び属性が設定可能であることを特徴とするノート。
【請求項１４】
ページごとに異なるコード化パターンが形成された複数のノート用紙を有し、表紙に属性を識別するためのコード化パターンが設けられるノートであって、
前記属性を識別するためのコード化パターンを電子ペンで読み取ることにより、コンピュータ装置にノートの前記属性を認識させ、前記ノート用紙に対して前記電子ペンによる記入の操作がなされることにより、その記入内容が、前記属性のノートに記入された内容として記憶されることを特徴とするノート。
【請求項１５】
ページごとに異なるコード化パターンが形成された複数のノート用紙を有し、表紙に、カテゴリを識別するためのコード化パターンと、カテゴリにおける属性を識別するためのコード化パターンとが設けられるノートであって、
前記カテゴリを識別するためのコード化パターンと前記属性を識別するためのコード化パターンとを電子ペンで読み取ることにより、コンピュータ装置にノートの前記カテゴリおよび前記属性を認識させ、前記ノート用紙に対して前記電子ペンによる記入の操作がなされることにより、その記入内容が、前記カテゴリの前記属性のノートに記入された内容として記憶されることを特徴とするノート。
【発明の詳細な説明】
【技術分野】
【０００１】
本発明は、電子ペンによりノートに記入された内容を記憶するシステムにおいて、複数のノートを適切に管理することが可能な、コンピュータ装置及びプログラム、並びにノートに関する。
【背景技術】
【０００２】
記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像等の記入情報が認識される。そして、この記入情報が、データ通信ユニットによりアノトペンから近くのパーソナルコンピュータや携帯電話等のコンピュータ装置に送信される（例えば、特許文献１参照）。また、ドットパターンに対向する電子ペン１の角度に起因するドットの画像上における配列を補正する回転補正処理機能については、例えば特許文献２に記載されている。
【０００３】
このような電子ペンやコンピュータ装置等で構成されるシステムを用いて、ユーザが、ノートに設けられた行確認マークを通る線を記入すると、サーバがその線に応じて段落エリアを設定する技術が、特許文献３に開示されている。
【先行技術文献】
【特許文献】
【０００４】
【特許文献１】特許第３８４２２８３号公報
【特許文献２】特表２００３−５２９８５３号公報
【特許文献３】特開２００９−１５１８０３号公報
【発明の概要】
【発明が解決しようとする課題】
【０００５】
ノートの用紙にドットパターンを形成し、用紙に電子ペンで記入して、コンピュータ装置で記入したストロークを保存し管理したい場合に、複数のノートが存在すると、コンピュータ装置は、これらの複数のノートを適切に管理して、例えば電子ペンの記入対象は何れのノートであるか等を適切に認識する必要がある。
【０００６】
本発明は、このような状況に鑑みてなされたものであり、電子ペンによりノートに記入された内容を記憶するシステムにおいて、複数のノートを適切に管理することを目的とする。
【課題を解決するための手段】
【０００７】
本発明に係るノート管理システムは、ページごとに異なるコード化パターンが形成された複数のノート用紙を有し、表紙に属性を識別するためのコード化パターンが設けられるノートと、コード化パターンを読み取り、コード化パターンに関する情報を記入情報として送信する電子ペンと、前記電子ペンから記入情報を受信して所定の処理を行うコンピュータ装置とを備えるノート管理システムであって、前記コンピュータ装置は、前記電子ペンから送信される記入情報を受信する通信手段と、前記属性を識別するためのコード化パターンを前記電子ペンに読み取らせることによって前記通信手段に受信された記入情報に基づいて、前記属性を特定する属性特定手段と、前記ノート用紙に対して前記電子ペンによる記入の操作がなされることによって前記通信手段に受信された前記記入情報に基づいて、ストロークを描画するとともに、前記ストロークを、前記属性特定手段により特定された前記属性に対応するノートファイルに記憶させるストローク描画手段とを備えることを特徴とする。
【０００８】
この構成によれば、ユーザが属性を識別するためのコード化パターンを電子ペンで読み取らせると、電子ペンは、そのコード化パターンに関する情報を記入情報として送信する。コンピュータ装置の通信手段は、電子ペンから送信された記入情報を受信し、属性特定手段は、その記入情報に基づいて、属性を特定する。さらに、ユーザが、ノート用紙に電子ペンで記入すると、電子ペンは、記入に応じてノート用紙に形成されたコード化パターンを読み取り、コード化パターンに関する情報を記入情報として送信する。コンピュータ装置の通信手段は、電子ペンから記入情報を受信し、ストローク描画手段は、その記入情報に基づいて、ストロークを描画するとともに、ストロークを、属性特定手段により特定された属性に対応するノートファイルに記憶させる。したがって、属性を識別するためのコード化パターンを電子ペンで読み取らせて、コンピュータ装置に属性を特定させて、その属性に対応するノートファイルにストロークを記憶させることができるため、複数のノートを適切に管理することができる。
【０００９】
上記ノート管理システムにおいて、前記ノートには、複数の異なる属性を示すシールが貼付されており、各シールには、属性に応じて異なるコード化パターンが形成されており、前記複数のシールから特定のシールを選択して前記表紙に貼付することで、当該ノートの属性が設定可能であるよう構成するとよい。
この構成によれば、ユーザは、ノートに貼付されている複数のシールから特定のシールを選択して表紙に貼付することで、当該ノートの属性を設定することができる。コンピュータ装置に、ノートの属性を特定するためには、ノートの表紙に貼付したシールに形成されたコード化パターンを電子ペンに読み取らせるとよい。
【００１０】
また、上記ノート管理システムにおいて、前記ストローク描画手段は、描画したストロークをノート用紙のページに応じて前記ノートファイルに記憶させるよう構成するとよい。
この構成により、ストローク描画手段により描画されたストロークは、ノート用紙のページに応じてノートファイルに記憶されるため、ユーザが実際のノートと同じ感覚でノートファイルを利用することができる。
【００１１】
また、上記ノート管理システムにおいて、前記コンピュータ装置は、前記属性特定手段によりノートの属性が特定されている状態で、前記通信手段により前記ノート用紙に係る記入情報を受信した場合に、前記ノート用紙のページに応じてノートファイルを開いてディスプレイに表示させ、前記属性特定手段によりノートの属性が特定されていない状態で、前記通信手段により前記ノート用紙に係る記入情報を受信した場合に、属性を識別するためのコード化パターンを前記電子ペンで読み取るよう促す出力をさせる情報処理手段をさらに備えるよう構成するとよい。
この構成により、属性特定手段によりノートの属性が特定されている状態で、ユーザがノート用紙に電子ペンで記入すると、通信手段はノート用紙に係る記入情報を受信し、情報処理手段は、ノート用紙のページに応じてノートファイルを開いてディスプレイに表示させる。その一方、属性特定手段によりノートの属性が特定されていない状態で、ユーザがノート用紙に電子ペンで記入すると、通信手段はノート用紙に係る記入情報を受信し、情報処理手段は、属性を識別するためのコード化パターンを電子ペンで読み取るよう促す出力をさせる。したがって、属性が特定されていない場合に、ユーザに、属性を識別するためのコード化パターンを電子ペンで読み取るよう促すことができる。
【００１２】
また、上記ノート管理システムにおいて、前記属性は、学習科目であるとよい。
これにより、ユーザは、ノートごとに異なる学習科目を設定することができる。
【００１３】
また、本発明に係るノート管理システムは、ページごとに異なるコード化パターンが形成された複数のノート用紙を有し、表紙に、カテゴリを識別するためのコード化パターンと、カテゴリにおける属性を識別するためのコード化パターンとが設けられるノートと、コード化パターンを読み取り、コード化パターンに関する情報を記入情報として送信する電子ペンと、前記電子ペンから記入情報を受信して所定の処理を行うコンピュータ装置とを備えるノート管理システムであって、前記コンピュータ装置は、前記電子ペンから送信される記入情報を受信する通信手段と、前記カテゴリを識別するためのコード化パターンと前記属性を識別するためのコード化パターンとを前記電子ペンに読み取らせることによって前記通信手段に受信された記入情報に基づいて、前記カテゴリ及び前記属性を特定する属性特定手段と、前記ノート用紙に対して前記電子ペンによる記入の操作がなされることによって前記通信手段に受信された前記記入情報に基づいて、ストロークを描画するとともに、前記ストロークを、前記属性特定手段により特定された前記カテゴリにおける前記属性に対応するノートファイルに記憶させるストローク描画手段とを備えることを特徴とする。
【００１４】
この構成によれば、ユーザが、カテゴリを識別するためのコード化パターンと、カテゴリにおける属性を識別するためのコード化パターンとを電子ペンで読み取らせると、電子ペンは、それらのコード化パターンに関する情報を記入情報としてそれぞれ送信する。コンピュータ装置の通信手段は、電子ペンから送信された記入情報を受信し、属性特定手段は、その記入情報に基づいて、カテゴリおよび属性を特定する。さらに、ユーザが、ノート用紙に電子ペンで記入すると、電子ペンは、記入に応じてノート用紙に形成されたコード化パターンを読み取り、コード化パターンに関する情報を記入情報として送信する。コンピュータ装置のストローク描画手段は、その記入情報に基づいて、ストロークを描画するとともに、ストロークを、属性特定手段により特定されたカテゴリにおける属性に対応するノートファイルに記憶させる。したがって、カテゴリを識別するためのコード化パターンと属性を識別するためのコード化パターンとを電子ペンで読み取らせて、コンピュータ装置にカテゴリと属性を特定させて、そのカテゴリの属性に対応するノートファイルにストロークを記憶させるため、複数のノートを適切に管理することができる。
【００１５】
また、上記ノート管理システムにおいて、前記ノートには、複数の異なるカテゴリと複数の異なる属性とをそれぞれ示すシールが貼付されており、各シールには、カテゴリや属性に応じて異なるコード化パターンが形成されており、前記複数のシールから特定のシールを選択して前記表紙に貼付することで、当該ノートのカテゴリ及び属性が設定可能であるよう構成するとよい。
この構成によれば、ユーザは、ノートに貼付されている複数の異なるカテゴリを示すシールと複数の異なる属性を示すシールとからそれぞれ特定のシールを選択して表紙に貼付することで、当該ノートの属性を設定することができる。コンピュータ装置に、ノートのカテゴリとその属性を特定するためには、ノートの表紙に貼付したそれぞれのシールに形成されたコード化パターンを電子ペンに読み取らせるとよい。
【００１６】
また、上記ノート管理システムにおいて、前記ストローク描画手段は、描画したストロークをノート用紙のページに応じて前記ノートファイルに記憶させるよう構成するとよい。
この構成により、ストローク描画手段により描画されたストロークは、ノート用紙のページに応じてノートファイルに記憶されるため、ユーザが実際のノートと同じ感覚でノートファイルを利用することができる。
【００１７】
また、上記ノート管理システムにおいて、前記コンピュータ装置は、前記属性特定手段によりノートのカテゴリ及び属性が特定されている状態で、前記通信手段により前記ノート用紙に係る記入情報を受信した場合に、前記ノート用紙のページに応じてノートファイルを開いてディスプレイに表示させ、前記属性特定手段によりノートのカテゴリおよび／または属性が特定されていない状態で、前記通信手段により前記ノート用紙についての記入情報を受信した場合に、カテゴリおよび／または属性を識別するためのコード化パターンを前記電子ペンで読み取るよう促す出力をさせる情報処理手段をさらに備えるとよい。
この構成により、属性特定手段によりノートのカテゴリと属性が特定されている状態で、ユーザがノート用紙に電子ペンで記入すると、通信手段はノート用紙に係る記入情報を受信し、情報処理手段は、ノート用紙のページに応じてノートファイルを開いてディスプレイに表示させる。その一方、属性特定手段によりノートのカテゴリおよび／または属性が特定されていない状態で、ユーザがノート用紙に電子ペンで記入すると、通信手段はノート用紙に係る記入情報を受信し、情報処理手段は、カテゴリおよび／または属性を識別するためのコード化パターンを電子ペンで読み取るよう促す出力をさせる。したがって、カテゴリおよび／または属性が特定されていない場合に、ユーザに、カテゴリおよび／または属性を識別するためのコード化パターンを電子ペンで読み取るよう促すことができる。
【００１８】
上記ノート管理システムにおいて、前記カテゴリは学習科目であり、前記属性はノート番号であるとよい。
この構成により、ユーザは、ノートごとに異なる学習科目やノート番号を設定することができる。
【００１９】
また、本発明に係るプログラムは、上記ノート管理システムにおける前記コンピュータ装置として機能させることを特徴とする。このプログラムをコンピュータ装置にインストールして実行させることにより、ノート管理システムのコンピュータ装置を実現することができる。
【００２０】
また、本発明に係るノートは、ページごとに異なるコード化パターンが形成された複数のノート用紙を有し、表紙に属性を識別するためのコード化パターンが設けられるノートであって、複数の異なる属性を示すシールが貼付されており、各シールには、属性に応じて異なるコード化パターンが形成されており、前記複数のシールから特定のシールを選択して前記表紙に貼付することで、当該ノートの属性が設定可能であることを特徴とする。
この構成により、ユーザは、ノートに貼付されている複数の異なる属性を示すシールから、特定のシールを選択して表紙に貼付することで、ノートの属性を設定することができる。
【００２１】
また、本発明に係るノートは、ページごとに異なるコード化パターンが形成された複数のノート用紙を有し、表紙に、カテゴリを識別するためのコード化パターンと、カテゴリにおける属性を識別するためのコード化パターンとが設けられるノートであって、複数の異なるカテゴリと複数の異なる属性とをそれぞれ示すシールが貼付されており、各シールには、カテゴリや属性に応じて異なるコード化パターンが形成されており、前記複数のシールから特定のシールを選択して前記表紙に貼付することで、カテゴリ及び属性が設定可能であることを特徴とする。
この構成により、ユーザは、ノートに貼付されている複数の異なるカテゴリと複数の異なる属性とをそれぞれ示すシールから、特定のシールを選択して表紙に貼付することで、ノートのカテゴリと属性を設定することができる。
【００２２】
また、本発明に係るノートは、ページごとに異なるコード化パターンが形成された複数のノート用紙を有し、表紙に属性を識別するためのコード化パターンが設けられるノートであって、前記属性を識別するためのコード化パターンを電子ペンで読み取ることにより、コンピュータ装置にノートの前記属性を認識させ、前記ノート用紙に対して前記電子ペンによる記入の操作がなされることにより、その記入内容が、前記属性のノートに記入された内容として記憶されることを特徴とする。
この構成によれば、ユーザは、属性を識別するためのコード化パターンを電子ペンで読み取ることにより、電子ペンによるノート用紙への記入の操作を属性のノートに記入された内容として記憶させることができる。
【００２３】
また、本発明に係るノートは、ページごとに異なるコード化パターンが形成された複数のノート用紙を有し、表紙に、カテゴリを識別するためのコード化パターンと、カテゴリにおける属性を識別するためのコード化パターンとが設けられるノートであって、前記カテゴリを識別するためのコード化パターンと前記属性を識別するためのコード化パターンとを電子ペンで読み取ることにより、コンピュータ装置にノートの前記カテゴリおよび前記属性を認識させ、前記ノート用紙に対して前記電子ペンによる記入の操作がなされることにより、その記入内容が、前記カテゴリの前記属性のノートに記入された内容として記憶されることを特徴とする。
この構成によれば、ユーザは、カテゴリを識別するためのコード化パターンと属性を識別するためのコード化パターンとを電子ペンで読み取ることにより、電子ペンによるノート用紙への記入の操作をカテゴリの属性のノートに記入された内容として記憶させることができる。
【発明の効果】
【００２４】
本発明によれば、電子ペンによりノートに記入された内容を記憶するシステムにおいて、複数のノートの管理を容易かつ適切に行うことができる。
【図面の簡単な説明】
【００２５】
【図１】本実施形態に係るノート管理システムのシステム構成図である。
【図２】第１実施形態に係るノートの表紙を開いた様子を示す模式図である。
【図３】第１実施形態に係るノートの表紙の表面を示す模式図である。
【図４】ドットパターンにおけるドットの配置と変換される値との関係を示す説明図である。
【図５】（Ａ）は、ドットパターンを模式的に示し、（Ｂ）は、それに対応する情報の例を示す図である。
【図６】電子ペンの構造を示す概略図である。
【図７】第１実施形態に係るコンピュータ装置の機能ブロック図である。
【図８】第１実施形態に係るコンピュータ装置の処理フローを示すフローチャートである。
【図９】第１実施形態に係るノートファイルが開かれた直後に出力手段に表示される画像の例を示す図である。
【図１０】第１実施形態に係る出力手段に表示される画像の例を示している。
【図１１】第１実施形態に係るノートのノート用紙に電子ペンで記入される、手書きのストロークの例を示す図である。
【図１２】第１実施形態に係るコンピュータ装置の出力手段に表示されるストロークの例を示す図である。
【図１３】第２実施形態に係るノートの表紙を開いた様子を示す模式図である。
【図１４】第２実施形態に係るノートの表紙の表面を示す模式図である。
【図１５】第２実施形態に係るコンピュータ装置の処理フローを示すフローチャートである。
【図１６】第２実施形態に係る出力手段に表示される画像の例を示している。
【図１７】第２実施形態に係るノートファイルが開かれた直後に出力手段に表示される画像の例を示す図である。
【発明を実施するための形態】
【００２６】
以下、図面を参照しながら、本発明の実施形態について説明する。
【００２７】
［第１実施形態のノート管理システム］
［ノート管理システムの構成］
図１は、本実施形態に係るノート管理システム１０の構成を示す。図１に示すように、本実施形態に係るノート管理システム１０は、電子ペン１と、ｎ冊のノート２−１〜２−ｎと、コンピュータ装置３とを有する。
なお、以下、ノート２−１〜２−ｎを個々に区別する必要がない場合、これらをまとめて単に「ノート２」と呼ぶ。
【００２８】
ユーザは、ドットパターン（コード化パターン）が印刷されたノート２の各ページに対して、電子ペン１で手書きのストロークを記入することができる。電子ペン１からの記入情報は、Ｂｌｕｅｔｏｏｔｈ（登録商標）により、コンピュータ装置３に無線送信される。なお、電子ペン１のさらなる詳細については、図６等を用いて後述する。
【００２９】
コンピュータ装置３は、パーソナルコンピュータ（Ｐｅｒｓｏｎａｌ  ｃｏｍｐｕｔｅｒ）等で構成され、電子ペン１からの記入情報を受信すると、当該記入情報に基づいて、ノート２上に手書きで記入されているものと同様のストロークを描画して記録するとともに、出力手段３１に表示させる。
【００３０】
ここで、ｎ冊のノート２−１〜２−ｎの所定ページの各々に対して、仮にユニークなドットパターンがそれぞれ印刷されている場合には、コンピュータ装置３は、手書きのストロークがノート２−１〜２−ｎのうちの何れに記入されたのかを容易に認識することができる。ただし、この場合には、１冊のノート２が製作される度に、未だ割り当てられていないドットパターンの座標領域が新たに割り当てられることになる。このため、ノート２が製作される毎に、未だ割り当てられていないドットパターンの座標領域が減少していくことになる。また、同一ページであっても、ノート２が異なれば、割り当てられたドットパターンが異なるため、ノート２毎にドットパターンの座標領域を管理せねばならない。したがって、ノート２の製作数が増加する程、この管理が困難になっていく。
そこで、本実施形態では、未だ割り当てられていないドットパターンにおける座標領域の無用な減少を防止するとともに、ノート２に割り当てられたドットパターンの座標領域の管理を容易なものとすべく、図１に図示するノート２−１〜２−ｎも含め全てのノート２について、同一ページの同一位置には、同一の座標範囲のドットパターンが印刷されている。ただし、この場合、何らかの工夫がなされていなければ、コンピュータ装置３は、手書きのストロークがノート２−１〜２−ｎのうちの何れに記入されたのかを認識することができない。
そこで、これを認識するための工夫として、本実施形態では、各ノート２−１〜２−ｎのそれぞれに対して、他のノート２との識別が容易に可能となるように、一意の属性（例えばユーザが受講する複数の科目のうち、任意の１つの科目）が設定される。ただし、ノート２に対して属性は予め設定されておらず、ユーザが所定のノート２を使用する際に、当該所定のノート２に対して所望の属性を与える。具体的には、当該所定のノート２には、ドットパターンが印刷されたシールであって、予め属性が設定されたシールが付加されており、ユーザは、当該シールを当該所定のノート２の表紙等に貼り付けることで、当該所定のノート２に属性を与える。
コンピュータ装置３は、このようにしてユーザにより与えられた属性を当該ノート２に対して設定し（より詳しくは、ユーザにより所望の属性のシールが選択されて、当該シールがノートに貼り付けられることで、当該ノートにも同一の属性が設定されることになる）、その設定結果を保持する。これにより、コンピュータ装置３は、それ以降、当該ノート２を、他のノート２と区別して認識することができるようになる。
なお、如何にしてノート２を認識するのか等、コンピュータ装置３の具体的な処理については後述する。
【００３１】
［第１実施形態のノート］
図２は、第１実施形態に係るノート２の表紙を開いた様子を示す模式図である。
ノート２においては、表紙２１と、ｍページ分（ｍは１以上の整数値）のノート用紙２４−１〜２４−ｍとがその順番で積層するように結束されている。なお、ｋを１以上（ｍ−１）以下の奇数とするならば、ノート用紙２４−ｋ，２４−（ｋ＋１）の各々が、１枚の紙媒体（ドットパターン用紙）の表面と裏面にそれぞれ相当する。
ノート２の表紙２１が開かれると、当該表紙２１の裏面（見返し）が左方に現れ、１ページ目のノート用紙２４−１が右方に現れる。
図２に示すように、ノート２の表紙２１の裏面には剥離紙２２が設けられており、この剥離紙２２には、相異なる属性がそれぞれ設定された複数のシール２３−ｉが着脱自在に貼付されている。なお、ｉは、１以上、シールの総枚数以下の整数値であり、総枚数をノート２の冊数ｎと一致させるならば、１以上ｎ以下の整数値である。ここで、本実施形態では、ユーザは、とある学校の生徒であり、その学校の各授業の学習科目毎にノート２−１〜２−ｎをそれぞれ用いるため、各授業の科目を属性として、ノート２−１〜２−ｎにそれぞれ与えるものとする。このため、シール２３−ｉを、以下、「科目シール２３−ｉ」と呼ぶ。なお、本実施形態では、９枚の科目シール２３−１〜２３−９がノート２に用意されているが、これは例示であり、ノート２に用意される科目シールの枚数は特に限定されない。
科目シール２３−１〜２３−９の各々には、「国語」、「数学」、「英語」、「理科」、「社会」、「ＨＲ（ホームルーム）」、「体育」、「家庭科」、「技術」といった科目（属性）が予め設定されており、当該科目が予め印字されている。ユーザは、これらの印字内容から科目シール２３−１〜２３−９の各々に設定された科目（属性）を一意に視認することができるので、科目シール２３−１〜２３−９のうち所望の科目が設定（印字）されたものを、剥離紙２２から剥がして、ノート２の表紙２１の表面に貼り付けることができる。
【００３２】
図３は、第１実施形態に係るノート２の表紙２１の表面を示す模式図である。
図３の例では、「理科」という科目（属性）が設定（印字）された科目シール２３−１が、ノート２の表紙２１に貼り付けられている。
【００３３】
ここで、図３に示す科目シール２３−１を含め、各科目シール２３−ｉには、それぞれユニークに形成されたドットパターン（コード化パターン）が印刷されている。なお、科目シール２３に用いられる座標範囲のドットパターンは、ノート用紙２４に用いられる座標範囲とは異なる座標範囲のドットパターンである。
このため、ノート２に貼り付けられた科目シール２３−１が電子ペン１でタップ（ペン先による軽叩）されたならば、コンピュータ装置３は、タップにより電子ペン１から送信されてくる記入情報に基づいて、科目シール２３−１がタップされたことを認識することができる。
【００３４】
したがって、コンピュータ装置３は、科目シール２３−１と、それが貼り付けられたノート２との対応関係を保持すれば、科目シール２３−１がタップされると、それが貼り付けられたノート２を、他のノート２とは区別して認識することができるようになる。このような対応関係を構築するために、上述した「属性」、本実施形態では「科目」が用いられている。即ち、ユーザは、「理科」という所望の科目（属性）が予め設定された科目シール２３−１を、当該所望の科目（理科）の授業に用いるノート２に対して貼り付けることで、当該所望の科目（属性）によって、科目シール２３−１と、それが貼り付けられたノート２とが対応付けられる。
【００３５】
ここで、詳細については後述するが、各ノート２のノート用紙２４−１〜２４−ｍに対しても、それぞれユニークなドットパターンが印刷されている。このため、コンピュータ装置３は、ノート２のノート用紙２４−１〜２４−ｍに対して電子ペン１で記入された内容をストロークとして描画することができるため、本実施形態では、これらのストロークをノート２単位で保持するファイル（以下、「ノートファイル」と呼ぶ）を記憶する。
ただし、第ｐページ目（ｐは、１〜ｍの範囲内にある任意の整数値）のノート用紙２４−ｐに印刷されるドットパターンは、各ノート２−１〜２−ｎによらず同一である。このため、ノートファイルが単に作成されただけでは、当該ノートファイルが、各ノート２−１〜２−ｎのうちの何れのものであるかが識別できる状態にない。
そこで、コンピュータ装置３は、科目シール２３−１が貼り付けられたノート２についてのノートファイルに対して、科目シール２３−１の属性、即ち「理科」という属性を設定する。これにより、科目シール２３−１と、それが貼り付けられたノート２とは、「理科」という属性により対応付けられて、その対応関係がコンピュータ装置３により保持される。
なお、ノートファイルに対する属性の設定手法は特に限定されないが、本実施形態では、科目シール２３−１の属性、即ち「理科」という日本語の文字列が、ノートファイルのファイル名の少なくとも一部に含まれることで、当該属性の設定がなされるものとする。
【００３６】
このような属性の設定がなされた以降、ユーザは、科目シール２３−１が貼り付けられたノート２を利用する際には、当該科目シール２３を電子ペン１でタップする。すると、コンピュータ装置３は、タップ時に電子ペン１から送信されてくる記入情報に基づいて、科目シール２３−１の属性、即ち「理科」という科目を認識する。そして、コンピュータ装置３は、当該属性をファイル名に有するノートファイル、即ち科目シール２３−１が貼り付けられたノート２についてのノートファイルを開き、当該ノートファイルに対して読み書きをする。
【００３７】
なお、１冊目のノート２においては、科目シール２３−１が用いられたので、２冊目の別のノート２においては、科目シール２３−１とは異なる科目シール２３−ｉが科目を特定するシールとして用いられる。
【００３８】
［ドットパターン］
続いて、科目シール２３−ｉ及びノート用紙２４−１〜２４−ｍに形成されるアノト方式のドットパターン（コード化パターン）について説明する。
なお、以下、各科目シール２３−ｉを個々に区別する必要がない場合、これらをまとめて「科目シール２３」と呼ぶ。同様に、ノート用紙２４−１〜２４−ｍを個々に区別する必要がない場合、これらをまとめて「ノート用紙２４」と呼ぶ。
【００３９】
図４は、ドットパターンのドットとそのドットが変換される値との関係を説明する図である。図４に示すように、ドットパターンの各ドットは、その位置によって所定の値に対応付けられている。即ち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、科目シール２３やノート用紙２４上の位置座標が決定されるよう構成されている。
なお、上述したように本実施形態では、第ｐページ目にのノート用紙２４−ｐに印刷されるドットパターンは、各ノート２−１〜２−ｎによらず同一であるため、各ノート２−１〜２−ｎの第ｐページ目における位置座標は、同一位置であれば同一になる。
【００４０】
図５（Ａ）は、あるドットパターンの配列を示している。図５（Ａ）に示すように、縦横約２ｍｍの範囲内に６×６個のドットが、科目シール２３やノート用紙２４上のどの部分から６×６ドットを取ってもユニークなパターンとなるように配置されている（ただし、本実施形態ではノート２−１〜２−ｎを含む全ノート２の同一ページには同一のドットパターンが配置されている）。これら３６個のドットにより形成されるドットパターンは位置座標を保持している。図５（Ｂ）は、図５（Ａ）に示す各ドットを、格子の基準位置からのシフト方向によって、図４に示す規則性に基づいて対応付けられた値に変換したものである。この変換は、ドットパターンの画像を撮影する電子ペン１によって行われる。
【００４１】
［電子ペン］
次に電子ペン１について説明する。図６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、インクを備えるペン先部１０３となっており、ユーザは、電子ペン１のペン先部１０３を科目シール２３やノート用紙２４上に当接させて、文字等のストローク（手書きのストローク）を記入したり、タップ（ペン先部１０３による科目シール２３やノート用紙２４への軽叩）したりする。ここで、電子ペン１のペン先部１０３が科目シール２３やノート用紙２４に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。また、電子ペン１のペンダウンからペンアップまでにペン先部１０３から科目シール２３やノート用紙２４上に流出するインクにより、ストロークと略同一軌道の軌跡が科目シール２３やノート用紙２４上に描かれる。
【００４２】
バッテリー１１２は、電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により科目シール２３やノート用紙２４に文字やマークを書いたりタップしたりする際にペン先部１０３からインクカートリッジ１０４を通じて与えられる圧力、即ち筆圧を検出し、その値をプロセッサ１０８へ伝送する。
【００４３】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で科目シール２３やノート用紙２４に文字等を書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述するペンＩＤとを関連付けて、記入情報としてコンピュータ装置３へ送信する。また、ユーザが１つのストロークを記入し終えて電子ペン１を科目シール２３やノート用紙２４から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置３へ送信する。
【００４４】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、科目シール２３やノート用紙２４上のペン先部１０３近傍に向けて赤外線を照明する。その領域は、ペン先部１０３が科目シール２３やノート用紙２４に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、ドットのインク素材は、赤外線を吸収するため、ＬＥＤ１０５によって照射された赤外線は、ドットによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図５（Ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００４５】
プロセッサ１０８は、ユーザの記入が行われる間、ＣＭＯＳカメラ１０６によって供給される画像データのドットパターンから、ユーザが記入するストローク（筆跡）の科目シール２３やノート用紙２４上におけるＸ，Ｙ座標（単に「位置座標」、「座標情報」とも呼ぶ）を連続的に演算していく。即ち、プロセッサ１０８は、ＣＭＯＳカメラ１０６によって供給される、図５（Ａ）に示されるようなドットパターンの画像データを図５（Ｂ）に示すデータ配列に変換し、さらに、Ｘ座標ビット値・Ｙ座標ビット値に変換して、そのデータ配列から所定の演算方法によりＸ，Ｙ座標データを演算する。なお、プロセッサ１０８は、ドットパターンに対向する電子ペン１の角度に起因する、ドットの画像上の配列を補正する回転補正処理機能を備えており、座標演算の際、その機能を実行させる。そして、プロセッサ１０８は、リアルタイムクロック１１０から発信される現在時刻（タイムスタンプ：記入された時刻情報）、筆圧データ及びＸ，Ｙ座標データを関連付ける。以後、これらの関連付けたデータを、まとめて「座標属性情報」と呼ぶ。なお、各科目シール２３の各々における６×６のドットパターンは、他の科目シール２３やノート用紙２４内で重複することはないため、ユーザが、科目シール２３−ｉを電子ペン１でタップしたり文字等を記入したりすると、タップ又は記入された位置が、各科目シール２３のうち、科目シール２３−ｉであって、かつ、科目シール２３−ｉのどの位置に当たるかを、プロセッサ１０８による座標演算により特定することができる。同様に、ノート２のノート用紙２４−１〜２４−ｍにおける６×６のドットパターンは、他のページのノート用紙２４及び科目シール２３内で重複することはないため、ユーザが、第ｐページ目のノート用紙２４−ｐにタップしたり電子ペン１で文字等を記入したりすると、記入された位置が、第ｐページ目のノート用紙２４−ｐであって、かつ、第ｐページ目のノート用紙２４―ｐ内のどの位置に当たるかを、プロセッサ１０８による座標演算により特定することができる。
【００４６】
ただし、本実施形態では、上述したように、各ノート２−１〜２−ｎによらず、第ｐページ目のノート用紙２４−ｐには同一のドットパターンが印刷されている。このため、電子ペン１による記入対象が第ｐページであることまでは、プロセッサ１０８による座標演算により特定することができるが、その第ｐページが各ノート２−１〜２−ｎのうちの何れのものなのかについては、プロセッサ１０８による座標演算により特定することができない。
そこで、ユーザは、記入対象の所定のノート２をコンピュータ装置３に特定させるために、当該所定のノート２に貼り付けられた科目シール２３を電子ペン１でタップする。
即ち、上述したように、科目シール２３に付されている科目（図３の例では「理科」という科目）が、当該科目シール２３及びそれが貼り付けられた所定のノート２についての属性として設定されている。即ち、当該属性により、当該科目シール２３とそれが貼り付けられた所定のノート２とは関連付けられている。
このため、当該属性を有する科目シール２３が電子ペン１でタップされると、コンピュータ装置３は、当該属性により関連付けられた所定のノート２を特定することができる。その後、ユーザがノート用紙２４−ｐに電子ペン１で文字等を記入すると、コンピュータ装置３は、記入された位置が、所定のノート２におけるノート用紙２４―ｐ内のどの位置に当たるかを特定することができる。
【００４７】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、座標属性情報（時刻情報と、筆圧データと、Ｘ、Ｙ座標データ）とを関連付けて、記入情報としてコンピュータ装置３へ送信する。通信ユニット１１１によるコンピュータ装置３への送信は、Ｂｌｕｅｔｏｏｔｈ（登録商標）等の無線送信によって、即時的かつ逐次的に行われる。ここで、電子ペン１のペンダウンからペンアップまでの間に生成されてコンピュータ装置３に送信された１個又は複数個の記入情報（座標属性情報）は、コンピュータ装置３によりストローク情報として記憶される。換言すると、１つのストロークは、１個又は複数個のＸ，Ｙ座標（座標点）に基づいて描画されるため、コンピュータ装置３は、ペンダウン情報及びペンアップ情報によって、１つのストロークを描画するために必要な１個又は複数個の座標属性情報を認識する。このように、ユーザの１つのストロークを記入することにより、電子ペン１によって生成される座標属性情報の集合を「ストローク情報」と呼ぶ。また、ペン先部１０３は、インクカートリッジ１０４を介して、筆圧を圧力センサ１０７に伝達する。
【００４８】
［コンピュータ装置の構成］
次に、コンピュータ装置３の構成について説明する。
コンピュータ装置３は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等を含むパーソナルコンピュータ等で構成される。
【００４９】
図７は、コンピュータ装置３の機能ブロック図である。コンピュータ装置３は、機能的には、出力手段３１、入力手段３２、通信手段３３、記憶手段３４及び処理手段３５を備える。そして、コンピュータ装置３は、電子ペン１から受信した記入情報に基づいて所定の処理を行う。
【００５０】
出力手段３１は、ディスプレイやスピーカ等によって構成され、処理手段３５によって指示された内容を画像として表示したり、音声として発声したりする。
入力手段３２は、マウスやキーボード等により構成され、ユーザの操作に応じた各種情報を入力して、処理手段３５に供給する。
通信手段３３は、アンテナ受信回路等により構成され、電子ペン１から記入情報等を受信し、処理手段３５に伝送する。
【００５１】
記憶手段３４は、ハードディスクやＲＯＭ、ＲＡＭといったメモリによって構成される。記憶手段３４は、処理手段３５の処理命令により、電子ペン１から受信した記入情報をペンＩＤ毎に記憶する他、ノートファイル等の各種情報を記憶する。また、記憶手段３４は、本ノート管理システム１０で使用するプログラムや辞書データベース、ノート２の科目シール２３やノート用紙２４に形成されたドットパターンの位置座標に関する座標定義情報等を予め記憶している。そのため、ノートファイルには、ノート２のページ数に合わせてページが用意される。
【００５２】
処理手段３５は、各手段３１〜３４を制御して各種情報を授受することで、各種の処理を実行する。処理手段３５は、主に、情報処理手段３５１、属性特定手段３５２、及びストローク描画手段３５３により構成される。
【００５３】
情報処理手段３５１は、後述する属性特定手段３５２及びストローク描画手段３５３により実行される処理を除く、処理手段３５にとって必要な各種情報処理一般を実行する。例えば、情報処理手段３５１は、電子ペン１から送信される記入情報を、通信手段３３を介して受信し、受信した記入情報を記憶手段３４に記憶させる。
【００５４】
属性特定手段３５２は、予め属性が設定された複数の科目シール２３のうち、特定の科目シール２３−ｉ（図３の例では科目シール２３−１）がノート２に貼り付けられた後、当該科目シール２３−ｉに対して電子ペン１によるタップの操作がなされたときに通信手段３３により受信された記入情報に基づいて、設定された属性を特定する。
【００５５】
ストローク描画手段３５３は、ノート用紙２４に記入することで電子ペン１から送信されて通信手段３３に受信された記入情報を、例えばストローク情報の単位で用いることによって、ストロークを描画する。そして、ストローク描画手段３５３は、必要に応じて、当該ストロークを出力手段３１に表示させる。
【００５６】
即ち、ユーザが、ノート２の貼り付けられた科目シール２３−ｉを電子ペン１でタップすると、属性特定手段３５２により科目が特定される。その後、ユーザが、電子ペン１により当該ノート２に記入の操作をすると、その記入の内容を示すストロークが、当該科目シール２３−ｉが貼り付けられたノート２に記入された内容として、当該ノート２についてのノートファイルに含められて記憶される。
【００５７】
［第１実施形態のコンピュータ装置の処理フロー］
次に、図８を参照して、コンピュータ装置３の処理フローについて説明する。
【００５８】
先ず前提事項として、コンピュータ装置３の記憶手段３４には、ユーザが用いる電子ペン１のペンＩＤが「登録ペンＩＤ」として予め記憶されているものとする。即ち、コンピュータ装置３は、ユーザの近傍で用いられる他のユーザが用いている別の電子ペン１からの記入情報も受信する可能性があるため、登録ペンＩＤを含む記入情報（以下、「登録ペンＩＤの記入情報」と呼ぶ）のみを有効なものとして利用することを前提とする。
このような前提の下、初めに、ユーザが、科目シール２３やノート用紙２４に対して、電子ペン１でタップしたり手書きのストロークを記入したりすると、電子ペン１は、生成した記入情報をコンピュータ装置３へ送信する。具体的には、電子ペン１は、ペンダウン時には、ペンダウン情報及びペンＩＤ（登録ペンＩＤ）を関連付けた記入情報を生成して、生成した記入情報をコンピュータ装置３へ送信する。電子ペン１は、ストロークの記入等により電子ペン１の科目シール２３やノート用紙２４への当接状態が継続すると、ドットパターンを撮像して演算した座標情報を含む座標属性情報と、ペンＩＤ（登録ペンＩＤ）とを関連付けた記入情報を連続的に生成して、コンピュータ装置３へ逐次送信する。電子ペン１は、ペンアップ時には、ペンアップ情報及びペンＩＤ（登録ペンＩＤ）を関連付けた記入情報を生成してコンピュータ装置３へ送信する。
【００５９】
コンピュータ装置３では、通信手段３３が、電子ペン１と通信可能状態になったことを契機として１回目の処理が開始され、それ以降、登録ペンＩＤの記入情報が電子ペン１から送信されてくる度毎に繰り返して処理が実行される。
処理手段３５の情報処理手段３５１は、電子ペン１から送信された、登録ペンＩＤの記入情報を、通信手段３３に受信させて、記憶手段３４に記憶させる（ステップＳ１）。
【００６０】
次に、情報処理手段３５１は、ステップＳ１の処理で受信された登録ペンＩＤの記入情報に基づき、電子ペン１により記入又はタップされた対象が、科目シール２３であるのか、それとも、ノート用紙２４であるのかを特定する（ステップＳ２）。
情報処理手段３５１は、電子ペン１により記入又はタップされた対象がノート用紙２４であると判定した場合（ステップＳ２：ノート用紙）、処理をステップＳ５に進める。ただし、ステップＳ５以降の処理については後述する。
これに対して、情報処理手段３５１は、電子ペン１により記入又はタップされた対象が科目シール２３であると判定した場合（ステップＳ２：科目シール）、処理をステップＳ３に進める。
【００６１】
属性特定手段３５２は、ステップＳ２において特定された科目シール２３の記入情報（位置座標）に基づいて、予め設定されている科目シール２３の属性を、ノート２の科目（属性）として特定（変更）する（ステップＳ３）。具体的には、属性特定手段３５２は、科目シール２３−１が貼り付けられたノート２の科目（属性）を、「理科」であると特定する。
【００６２】
さらに、属性特定手段３５２は、当該科目を属性として有するノートファイルを特定する。情報処理手段３５１は、このようにして特定されたノートファイルを開く（ステップＳ４）。
なお、ステップＳ３において特定された科目（属性）を有するノートファイルが存在しない場合、ステップＳ３の処理の前に、情報処理手段３５１は、新たなノートファイルを作成する。属性特定手段３５２は、当該新たなノートファイルの属性として、ステップＳ３において特定された科目を設定する。そして、情報処理手段３５１は、ステップＳ４の処理として、当該新たなノートファイルを開く。
これにより、コンピュータ装置３による処理が終了する。
【００６３】
なお、ステップＳ４の処理によってノートファイルが開かれた場合、情報処理手段３５１は、図９示すような画像を出力手段３１に表示させてもよい。
図９は、ノートファイルが開かれた直後に出力手段３１に表示される画像の例を示している。
図９（Ａ）に示すように、ノート２の表紙２１には科目シール２３−１が貼り付けられている。当該科目シール２３−１、及びそれが貼り付けられたノート２についてのノートファイルは、「理科」という科目（属性）として既に設定されているものとする。
この状態で、ユーザが科目シール２３−１に対して電子ペン１でタップすると、上述したようにステップＳ３の処理で「理科」という科目（属性）が特定され、ステップＳ４の処理で、「理科」という科目（属性）が設定されているノートファイルが開くとともに、コンピュータ装置３の出力手段３１には、図９（Ｂ）に示すような画像が表示される。この画像には、「理科」という日本語の文字列が含まれている。したがって、ユーザは、この図９（Ｂ）のような画像を視認することにより、これから用いるノート２には、「理科」という科目（属性）が設定されていることを容易に確認できる。
【００６４】
以上、ユーザの電子ペン１による操作対象が科目シール２３の場合における、コンピュータ装置３による処理について説明した。
次に、ユーザの電子ペン１による操作対象がノート用紙２４である場合における、コンピュータ装置３による処理について説明する。この場合、コンピュータ装置３による処理が開始されると、ステップＳ１、ステップＳ２：ノート用紙、の処理が実行された後に、処理はステップＳ５に進む。
【００６５】
属性特定手段３５２は、ステップＳ３の処理により、科目が特定されているか否かを判別する（ステップＳ５）。
科目が特定されていないと判断された場合（ステップＳ５：ＮＯ）には、処理はステップＳ６に進む。
情報処理手段３５１は、科目を指定するようなアラーム表示又は音声を出力手段３１から出力させる（ステップＳ６）。これにより、コンピュータ装置３による処理は終了となる。
【００６６】
図１０は、ステップＳ６の処理で情報処理手段３５１が出力手段３１に表示させる画像の例を示している。
科目が特定されていない状態で、ユーザがノート用紙２４に電子ペン１でタップしたり手書きのストロークを記入したりすると、上述したように処理はステップＳ６に進み、図１０に示すように、コンピュータ装置３の情報処理手段３５１は、出力手段３１のディスプレイに対して、「ノートの科目を指定してください」といったメッセージを含むアラーム画像を表示させる。このとき、コンピュータ装置３の情報処理手段３５１は、出力手段３１のスピーカから、「ノートの科目を指定してください」といったアラーム音声を発声させてもよい。
【００６７】
これに対して、前回までのコンピュータ装置３による処理で、ステップＳ３及びＳ４の処理が実行された後、即ち、科目が特定されてノートファイルが開かれた後に、ユーザがノート用紙２４に電子ペン１でタップしたり手書きのストロークを記入したりすると、ステップＳ５においてＹＥＳであると判断された後に、処理はステップＳ７に進む。
【００６８】
情報処理手段３５１は、ノート２についてのノートファイルにおいて、ステップＳ１で受信した記入情報により特定されるページを開いているか否かを判別する（ステップＳ７）。ここで、ノートファイルは、ノート２の各ページ単位で読み書き可能に構成されている。後述する図１２に示すように、ノートファイルにおいて開かれているページ、即ち読み書き対象となっているページを示す画像は、出力手段３１に表示される。なお、図１２のように、画像は、ノート２を開いているように見開きの状態で表示されるとよい。
したがって、情報処理手段３５１は、ノートファイルにおいて読み書き対象となっているページが開かれていないと判断した場合、例えば、図９（Ｂ）に示すような画像が出力手段３１に表示されていると判断した場合や、ステップＳ１で受信した記入情報により特定されるページとは異なるページが開かれていると判断した場合（ステップＳ７：ＮＯ）、ステップＳ１で受信した記入情報に基づきノート用紙２４のページを特定して、当該ページを開く（ステップＳ８）。これにより、処理はステップＳ９に進む。
これに対して、ノートファイルにおいて、ステップＳ１で受信した記入情報により特定されるページ（読み書き対象となっているページ）が既に開いている場合、後述する図１２に示すような画像が出力手段３１に表示されている場合、情報処理手段３５１は、当該ページが開かれていると判断して（ステップＳ７：ＹＥＳ）、ステップＳ８の処理を実行せずに、処理をステップＳ９に進める。
【００６９】
ストローク描画手段３５３は、記入情報から特定されるストロークを、開かれたページに描画し、記憶手段３４内のノートファイルに記憶（上書き）させる（ステップＳ９）。これにより、コンピュータ装置３による処理は終了となる。
【００７０】
図１１は、ノート２のノート用紙２４に電子ペン１で記入される、手書きのストロークの例を示している。
図１１に示すように、ユーザが所定のノート用紙２４に対して、「消化液  酵素」、「だ液  アミラーゼ」、「胃液  ペプシン」といった各種のストローク群を電子ペン１で記入することができる。この間、電子ペン１は、各記入情報を逐次コンピュータ装置３に送信する。
【００７１】
図１２は、ステップＳ９処理でコンピュータ装置３の出力手段３１に表示されるストロークの例を示している。
コンピュータ装置３の情報処理手段３５１は、図１１に示すように電子ペン１でノート用紙２４に対して手書きのストロークが記入されている間、逐次送信されてくる各記入情報を、通信手段３３を介して受信する。
コンピュータ装置のストローク描画手段３５３は、このような各記入情報を例えばストローク情報の単位で用いて、各ストロークを描画し、ノートファイルに記憶させる（ステップＳ９）とともに、図１２に示すような画像を出力手段３１に表示させる。
具体的には、ユーザによりノート用紙２４に対して電子ペン１で記入された手書きのストローク（図１１参照）に対応して、出力手段３１には、「消化液  酵素」、「だ液  アミラーゼ」、「胃液  ペプシン」といったストロークが、ノート用紙２４の記載位置に対応する位置に配置された画像が表示される。
【００７２】
［第１実施形態による作用効果］
以上説明したように本実施形態によれば、ユーザは、ノート２の表紙の裏面（見返し）に貼付されたシール（図２参照）から、ノート２として利用したい科目の科目シール２３を選択して剥がし、ノート２の表紙に貼付する（図３参照）。そして、ユーザは、そのノート２にその科目について記入する前に、表紙に貼付した科目シール２３に形成されたドットパターンを電子ペン１に読み取らせて、コンピュータ装置３に、ノートの科目（属性）を認識させる（図９参照）。そのうえで、ノート２のノート用紙２４に電子ペン１で記入することによって、ノート用紙２４に記入したストロークを、電子データとして、記入したノート用紙２３のページに合わせて、コンピュータ装置３に描画させ表示させることができるとともに、記憶させることができる（図１１、図１２参照）。したがって、ユーザは、実際のノート２と同じ感覚で、コンピュータ装置３のノートファイルに、記入内容を描画、記憶させることができる。
ここで、ユーザは、ノート２ごとに、科目シール２３を変えて、ノート２の表紙に貼付し、そのノート２にその科目について記入する前に、科目シール２３に形成されたドットパターンを電子ペン１に読み取らせて、コンピュータ装置３に、ノートの科目を認識させるため、ノート２のノート用紙２３においてページが同じであれば同じ座標範囲のドットパターンが形成されていても、コンピュータ装置３は、科目（属性）によって、ノート２を識別することができる。
また、ノート２の利用前に、科目シール２３のドットパターンが電子ペン１によって読み取られずに科目（属性）が特定されていない状態であると、ノート用紙２４に電子ペン１で記入しようとしても、科目を特定するようコンピュータ装置３が促す出力をするため（図１０参照）、利用しやすい。
【００７３】
［第２実施形態のノート管理システム］
ノート管理システム１０のシステム構成のうち、電子ペン１とコンピュータ装置３は、第１実施形態と同様のものであるが、ノート２については、その構成及び属性の特定に係る点で第１実施形態と差異点がある。そこで、以下、第２実施形態のノート２の構成及び属性の特定に係る点のうち第１実施形態との差異点についてのみ説明する。
【００７４】
［第２実施形態のノート］
図１３は、第２実施形態に係るノート２の表紙を開いた様子を示す模式図である。
図１３に示すように、ノート２の表紙２１の裏面（見返し）には剥離紙２２が設けられており、この剥離紙２２には、第１実施形態と同様に、「授業の科目」というカテゴリにおいて、相異なる属性がそれぞれ設定された複数の科目シール２３−ｉが着脱自在に貼付されている。さらに、第２実施形態では、この剥離紙２２には、「番号」というカテゴリにおいて、相異なる属性がそれぞれ設定された複数のシール２５−ｊが着脱自在に貼付されている。なお、ｊは、１以上、シールの総枚数以下の整数値である。
ここで、第２実施形態でも第１実施形態と同様に、ユーザは、とある学校の生徒であり、その学校の各授業の科目毎に異なったノート２をそれぞれ用いる。さらに、第２実施形態では、ユーザは、同一の科目についても２以上のノート２を用いる場合がある。
この場合、ユーザは、所定のノートに対して、とある科目の何冊目という属性、即ち科目と番号との各属性の組み合わせを与えるものとする。
この場合、各授業の科目という属性は、第１実施形態と同様に、科目シール２３−ｉがノート２に貼り付けられることで設定される。
一方で、冊数を示す番号（以下、「ノート番号」と呼ぶ）という属性は、シール２５−ｊがノート２に貼り付けられることで設定される。このため、シール２５−ｊを、以下、「ノート番号シール２５−ｊ」と呼ぶ。なお、本実施形態では、６枚のノート番号シール２５−１〜２５−６がノート２に用意されているが、これは例示であり、ノート２に用意されるノート番号シールの枚数は特に限定されない。
具体的には、第２実施形態では、科目シール２３−１〜２３−９の各々には、第１実施形態と同様の各科目（属性）が予め設定されており、当該科目が予め印刷されている。また、ノート番号シール２５−１〜２５−６の各々には、「Ｎｏ．１」、「Ｎｏ．２」、「Ｎｏ．３」、「Ｎｏ．４」、「Ｎｏ．５」、「Ｎｏ．６」といったノート番号（属性）が予め設定されており、当該ノート番号が予め印字されている。
ユーザは、科目シール２３−１〜２３−９の各々については、それらの印字内容から、予め設定された科目（属性）を一意に視認することができる。したがって、ユーザは、科目シール２３−１〜２３−５のうち所望の科目が設定（印字）されたものを、剥離紙２２から剥がして、ノート２の表紙２１の表面に貼り付けることができる。
同様に、ユーザは、ノート番号シール２５−１〜２５−６の各々については、それらの印字内容から、予め設定されたノート番号（属性）を一意に視認することができる。したがって、ユーザは、ノート番号シール２５−１〜２５−６のうち所望のノート番号が設定（印字）されたものを、剥離紙２２から剥がして、ノート２の表紙２１の表面に貼り付けることができる。
【００７５】
図１４は、ノート２の表紙２１の表面を示す模式図である。
図１４の例では、「理科」という科目（属性）が設定（印字）された科目シール２３−１と、「Ｎｏ．１」というノート番号（属性）が設定（印字）されたノート番号シール２５−１とが、ノート２の表紙２１に貼り付けられている。
【００７６】
ここで、図１４に示すノート番号シール２５−１を含め、各ノート番号シール２５−ｊには、各科目シール２３−ｉと同様に、それぞれユニークに形成されたドットパターン（コード化パターン）が印刷されている。
このため、ノート２に貼り付けられた科目シール２３−１又はノート番号シール２５−１が電子ペン１でタップされたならば、コンピュータ装置３は、タップにより電子ペン１から送信されてくる記入情報に基づいて、科目シール２３−１又はノート番号シール２５−１がタップされたことを認識することができる。
【００７７】
したがって、コンピュータ装置３は、科目シール２３−１及びノート番号シール２５−１の組み合わせと、それらが貼り付けられたノート２との対応関係を保持すれば、科目シール２３−１及びノート番号シール２５−１の各々が時間的に離間してタップされると、それらが貼り付けられたノート２を、他のノート２とは区別して認識することができるようになる。このような対応関係を構築するために、複数のカテゴリの「属性」の組み合わせ、本実施形態では「科目」と「ノート番号」の組み合わせが用いられている。
即ち、ユーザは、「理科」という所望の科目（属性）が予め設定された科目シール２３−１を、当該所望の科目（理科）の授業に用いるノート２に対して貼り付けることで、当該所望の科目（属性）によって、科目シール２３−１と、それが貼り付けられたノート２とが対応付けられる。
さらに、ユーザが、「Ｎｏ．１」というノート番号（属性）が予め設定されたノート番号シール２５−１を、理科の授業に用いるノート２のうち１冊目のノート２に対して貼り付けることで、当該所望のノート番号（属性）によって、ノート番号シール２５−１と、それが貼り付けられたノート２とが対応付けられる。
即ち、「理科」という科目（属性）と、「ＮＯ．１」というノート番号（属性）との組み合わせによって、科目シール２３−１及びノート番号シール２５−１の組み合わせと、それらが貼り付けられたノート２とが対応付けられる。
【００７８】
ここで、第１実施形態と同様に第２実施形態でも、第ｐページ目のノート用紙２４−ｐに印刷されるドットパターンは、各ノート２−１〜２−ｎによらず同一である。このため、ノートファイルが単に作成されただけでは、当該ノートファイルが、各ノート２−１〜２−ｎのうちの何れのものであるかが識別できる状態にない。
そこで、コンピュータ装置３は、科目シール２３−１及びノート番号シール２５−１が貼り付けられたノート２についてのノートファイルに対して、科目シール２３−１の属性、即ち「理科」という属性と、ノート番号シール２５−１の属性、即ち「Ｎｏ．１」という属性の組み合わせを設定する。これにより、科目シール２３−１及びノート番号シール２５−１と、それらが貼り付けられたノート２とは、「理科」及び「Ｎｏ．１」という各属性の組み合わせにより対応付けられて、その対応関係がコンピュータ装置３により保持される。
なお、ノートファイルに対する属性の設定手法は特に限定されないが、本実施形態では、科目シール２３−１及びノート番号シール２５−１の各属性、即ち「理科」及び「Ｎｏ．１」という日本語の各文字列が、ノートファイルのファイル名の少なくとも一部に含まれることで、当該属性の設定がなされるものとする。
【００７９】
このような属性の設定がなされた以降、ユーザは、科目シール２３−１及びノート番号シール２５−１が貼り付けられたノート２を利用する際には、当該科目シール２３及びノート番号シール２５−１の各々を、時間的に離間して順不同に電子ペン１でそれぞれタップする。すると、コンピュータ装置３は、各々タップ時に電子ペン１から送信されてくる記入情報に基づいて、科目シール２３−１の属性、即ち「理科」という科目と、ノート番号シール２５−１の属性、即ち「Ｎｏ．１」というノート番号をそれぞれ認識する。そして、コンピュータ装置３は、これらの属性の全てをファイル名に有するノートファイル、即ち科目シール２３−１及びノート番号シール２５−１が貼り付けられたノート２についてのノートファイルを開き、当該ノートファイルに対して読み書きをする。
【００８０】
なお、第２実施形態においては、２冊目のノート２を、１冊目のノート２の科目と同じ科目とする場合、２冊目のノート２においては、同じ科目シール２３−１が用いられるが、ノート番号シール２５−１とは異なる、２冊目を意味するノート番号シール「Ｎｏ．２」２５−２が用いられる。このように、同じ科目用であっても、ノート番号シールを変えることで、ノート２を区別することができる。
【００８１】
［第２実施形態のコンピュータ装置の処理フロー］
次に、図１５を参照して電子ペン１を用いたノート管理システム１０による、コンピュータ装置３の処理フローについて説明する。
なお、前提事項や処理開始のトリガ等は、第１実施形態の図８の処理フローと同様であるので、ここでは処理の説明は省略する。
【００８２】
処理手段３５の情報処理手段３５１は、電子ペン１から送信された、登録ペンＩＤの記入情報を、通信手段３３に受信させて、記憶手段３４に記憶させる（ステップＳ３１）。
【００８３】
次に、情報処理手段３５１は、ステップＳ１の処理で受信された登録ペンＩＤの記入情報に基づき、電子ペン１により記入又はタップされた対象が、科目シール２３であるのか、ノート番号シール２５であるのか、それとも、ノート用紙２４であるのかを特定する（ステップＳ３２）。
【００８４】
情報処理手段３５１は、電子ペン１により記入又はタップされた対象がノート用紙２４であると判定した場合（ステップＳ３２：ノート用紙）、処理をステップＳ３７に進める。
ステップＳ３７においては、情報処理手段３５１は、後述のステップＳ３３における処理とステップＳ３６における処理により、科目とノート番号の双方が特定されているかどうかを判定する。ステップＳ３７でＹＥＳと判断されて以降のステップＳ３９〜Ｓ４１の各処理及びその流れは、第１実施形態の図８のステップＳ７〜Ｓ９の各処理及びその流れと基本的に同様であるため、ここではその説明は省略する。
ステップＳ３７及びＳ３８の各処理は、第１実施形態のステップＳ５及びＳ６の各処理と若干差異があるが、その差異点は、ノート２に貼り付けられるシールの種類が異なることに起因する。即ち、第１実施形態のステップＳ５及びＳ６では、科目シール２３のみがタップされるため、科目シール２３の特定のみが着目されている。これに対して、第２実施形態のステップＳ３７及びＳ３８では、科目シール２３のみならず、ノート番号シール２５のタップが必要になるため、科目シール２３及びノート番号シール２５の両者の特定が着目されている。
情報処理手段３５１は、科目とノート番号のいずれかでも特定されていないと判定した場合（ステップＳ３７：Ｎｏ）、特定されていない科目ないしノート番号を指定するよう、出力手段３１のディスプレイ３１にアラーム表示させたり、スピーカに音声を出力させたりする。図１６（Ａ）は、情報処理手段３５１によって、科目が特定されていないと判断された場合に、ディスプレイ３１にアラーム表示させている様子を示す図であり、情報処理手段３５１は、「ノートの科目を指定してください」と表示させている。図１６（Ｂ）は、情報処理手段３５１によって、ノート番号が特定されていないと判断された場合に、ディスプレイ３１にアラーム表示させている様子を示す図であり、情報処理手段３５１は、「ノートの番号を指定してください」と表示させている。なお、情報処理手段３５１は、科目とノート番号の両方が特定されていないと判定した場合には、「ノートの科目と番号を指定してください」とディスプレイ３１にアラーム表示させるとよい。
【００８５】
一方、情報処理手段３５１は、電子ペン１により記入又はタップされた対象が科目シール２３であると判定した場合（ステップＳ３２：科目シール）、処理をステップＳ３３に進める。属性特定手段３５２は、ステップＳ３２において特定された科目シール２３の記入情報（位置座標）に基づいて、予め設定されている科目シール２３の属性を、ノート２の科目（属性）として特定（変更）する（ステップＳ３３）。具体的には、属性特定手段３５２は、科目シール２３−１が貼り付けられたノート２の科目（属性）を、「理科」であると特定する。
【００８６】
また、情報処理手段３５１は、電子ペン１により記入又はタップされた対象がノート番号シール２５であると判定した場合（ステップＳ３２：ノート番号シール）、処理をステップＳ３６に進める。属性特定手段３５２は、ステップＳ３２において特定されたノート番号シール２５の記入情報（位置座標）に基づいて、予め設定されているノート番号シール２５の属性を、ノート２のノート番号（属性）として特定（変更）する（ステップＳ３６）。具体的には、属性特定手段３５２は、ノート番号シール２５−１が貼り付けられたノート２のノート番号（属性）を、「Ｎｏ．１」であると特定する。
【００８７】
このようにして、ステップＳ３３においてノート２の科目が特定されるか、又はステップＳ３６においてノート２のノート番号が特定されると、処理はステップＳ３４に進む。
情報処理手段３５１は、科目及びノート番号の両属性が特定されているか否かを判断する（ステップＳ３４）。
科目とノート番号のうち少なくとも１つの属性が特定されていない場合（ステップＳ３４：ＮＯ）、コンピュータ装置３による処理は終了となる。
これに対して、科目及びノート番号の両属性が特定されている場合（ステップＳ３４：ＹＥＳ）、処理はステップＳ３５に進む。この場合、属性特定手段３５２は、特定された科目及びノート番号の両属性を有するノートファイルを特定する。情報処理手段３５１は、このようにして特定されたノートファイルを開く（ステップＳ３５）。
なお、特定された科目及びノート番号の両属性を有するノートファイルが存在しない場合、ステップＳ３５の処理の前に、情報処理手段３５１は、新たなノートファイルを作成する。属性特定手段３５２は、当該新たなノートファイルに対して、特定された科目及びノート番号の両属性を設定する。そして、情報処理手段３５１は、ステップＳ３５の処理として、当該新たなノートファイルを開く。
これにより、コンピュータ装置３による処理が終了する。
【００８８】
［第２実施形態による作用効果］
以上説明したように本第２実施形態によれば、ユーザは、ノート２の表紙の裏面（見返し）に貼付されたシール（図２参照）から、ノート２として利用したい科目の科目シール２３と、ノート番号２５を選択して剥がし、ノート２の表紙に貼付する（図１３、図１４参照）。そして、ユーザは、そのノート２に記入する前に、表紙に貼付した科目シール２３に形成されたドットパターンと、ノート番号シール２５に形成されたドットパターンを電子ペン１に読み取らせて、コンピュータ装置３に、ノートの科目（カテゴリ）とノート番号（属性）を認識させる（図１７参照）。そのうえで、ノート２のノート用紙２４に電子ペン１で記入することによって、ノート用紙２４に記入したストロークを、電子データとして、記入したノート用紙２３のページに合わせて、コンピュータ装置３に描画させ表示させることができるとともに、記憶させることができる。したがって、ユーザは、実際のノート２と同じ感覚で、コンピュータ装置３のノートファイルに、記入内容を描画、記憶させることができる。
ここで、ユーザは、ノート２ごとに、科目シール２３やノート番号シール２５を変えて、ノート２の表紙に貼付し、そのノート２に記入する前に、科目シール２３やノート番号シール２５に形成されたドットパターンを電子ペン１に読み取らせて、コンピュータ装置３に、ノートの科目とノート番号を認識させるため、ノート２のノート用紙２３においてページが同じであれば同じ座標範囲のドットパターンが形成されていても、コンピュータ装置３は、科目（カテゴリ）とノート番号（属性）によって、ノート２を識別することができる。
また、ノート２の利用前に、科目シール２３あるいはノート番号シール２５のドットパターンが電子ペン１によって読み取られずに科目（カテゴリ）あるいはノート番号（属性）が特定されていない状態であると、ノート用紙２４に電子ペン１で記入しようとしても、科目ないしノート番号を特定するようコンピュータ装置３が促す出力をするため（図１６参照）、利用しやすい。
【００８９】
［変形例］
なお、本発明は、上記第１及び第２実施形態に限られない。
第１実施形態においては、ノート２は、「科目」というカテゴリに属する属性のみによって特定された。第２実施形態においては、ノート性は、「科目」というカテゴリに属する属性と、「ノート番号」というカテゴリに属する属性との組み合わせにより特定された。ただし、ノート２の特定手法は、特にこれらの実施形態の手法に限られない。
例えば、ノート２には、複数のカテゴリ毎に、同一カテゴリ内で相異なる属性がそれぞれ設定されているシール群のそれぞれが、複数のシールとして含まれていてもよい。そして、所定属性が予め設定された所定シールが複数のカテゴリ毎に１枚ずつ選択されて、複数のカテゴリ毎に選択された所定シールのそれぞれがノート２に貼り付けられてもよい。この場合、ノート２に貼り付けられた複数のカテゴリ毎に選択された所定シールの各々に対して、電子ペン１によるタップの操作がなされたときに、コンピュータ装置３が受信したそれぞれの記入情報に基づいて、コンピュータ装置３は、複数のカテゴリ毎に異なる所定属性の組み合わせを特定してもよい。
【００９０】
ここで、複数のカテゴリ毎に異なる所定属性の組み合わせとして、「科目」と「シール番号」の組み合わせが採用された実施形態が、上述の第２実施形態であった。しかし、このような組み合わせは、特に第２実施形態のものに限られず、任意の種類及び任意の数の、カテゴリ毎に異なる所定属性の組み合わせを採用することができる。
例えば、「科目」と、「使用期間（例えば、学期等）」との組み合わせを採用することができる。
また例えば、「科目」以外のカテゴリとして、ユーザの「学年」や、業務の「プロジェクト名」といったカテゴリを採用することができる。
「学年」というカテゴリが採用される場合には、コンピュータ装置３側の記憶手段３４に複数のフォルダ（記憶領域）が設けられる。そして、情報処理手段３５１は、「学年」のフォルダを特定（アクティブ）にし、特定したフォルダにおいて、ノートファイルの記憶（上書き）を行うようにすることができる。
なお、「学年」というカテゴリが採用される場合には、情報処理手段３５１は、毎年特定の月日（例えば、４月１日等の期の変わり目）に、特定したフォルダとは異なるフォルダを新たに生成することができる。そして、情報処理手段３５１は、当該フォルダ内において、ノートファイルの記憶（上書き）を行うことができる。
また、第２実施形態では、ノート２の表紙の見返しに、科目シール２３−ｉとノート番号シール２５−ｊが別々に用意されていたが、その代わりに、「国語Ｎｏ．１」、「国語Ｎｏ．２」、「国語Ｎｏ．３」、…、「理科Ｎｏ．１」、「理科Ｎｏ．２」、「理科Ｎｏ．３」、…と、科目とノート番号が一体となったシールを用意してもよい。
【００９１】
また、第１実施形態においては、ノート２の表紙の見返しに、科目を特定するための科目シール２３−ｉが用意されていたが、その代わりに、ノート２の表紙に、科目を特定するためのドットパターンが、科目を示す文字に重ねて、あるいは、科目を示す文字付近に形成してもよい。この場合、国語用のノート２、理科用のノート２など、科目ごとにノート２を用意するとよい。
同様に、第２実施形態の変形例としては、ノート２の表紙に、科目とノート番号を特定するためのドットパターンが、科目とノート番号を示す文字に重ねて、あるいは、当該文字の付近に形成してもよい。この場合、「国語Ｎｏ．１」のノート２、「国語Ｎｏ．２」のノート２、…「理科Ｎｏ．１」のノート２、「理科Ｎｏ．２」のノート２など、各科目のノート番号ごとにノート２を用意するとよい。
【００９２】
また、上記第１及び第２実施形態では、ユーザにより、第ｐページ目のノート用紙２４−ｐにタップしたり電子ペン１で文字等を記入したりすることにより、第ｐページが特定され、コンピュータ装置３において、該当するページが開かれて表示されている。これに加えて、コンピュータ装置３は、タッチパネルを有している場合には、当該タッチパネル上で指等の物体が当接した状態で所定方向に移動すると、ページをめくる操作であると検出して、当該操作に応じてページをめくり、めくられたページを開いて表示するようにしてもよい。
【００９３】
また、上記第１及び第２実施形態では、電子ペン１を用いる対象は、ノート２とされたが、特にこれに限られず、アノト式のドットパターンが印刷された任意の書き込み媒体であればよい。また、コード化パターンや、記入情報、電子ペンは、アノト方式に限られなくともよい。
【００９４】
上述した一連の処理は、ハードウェアにより実行させることもできるし、ソフトウェアにより実行させることもできる。
【００９５】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【符号の説明】
【００９６】
１…電子ペン
２…ノート
２１…表紙
２２…剥離紙
２３…科目シール
２４…ノート用紙
２５…ノート番号シール
３…コンピュータ装置
３１…出力手段
３２…入力手段
３３…通信手段
３４…記憶手段
３５…処理手段
３５１…情報処理手段
３５２…属性特定手段
３５３…ストローク描画手段
１０…ノート管理システム
【図１】
2013016079.tif 000003
【図２】
2013016079.tif 000004
【図３】
2013016079.tif 000005
【図４】
2013016079.tif 000006
【図５】
2013016079.tif 000007
【図６】
2013016079.tif 000008
【図７】
2013016079.tif 000009
【図８】
2013016079.tif 000010
【図９】
2013016079.tif 000011
【図１０】
2013016079.tif 000012
【図１１】
2013016079.tif 000013
【図１２】
2013016079.tif 000014
【図１３】
2013016079.tif 000015
【図１４】
2013016079.tif 000016
【図１５】
2013016079.tif 000017
【図１６】
2013016079.tif 000018
【図１７】
2013016079.tif 000019